(57)【要約】【課題】軟弱地盤又は産業廃棄物等の堆積層の圧密、圧縮に多種の工法があるが、軟弱地盤の場合は盤ぶくれ、ヒービング等ガ生じたり又は廃棄物等の堆積物層締固は飛散、側方移動等により結果が悪く、課題であった。【解決手段】間隙の大きい地盤又は産業廃棄物等の堆積層を圧密、圧縮するに当たり側方に力を加えるのではなく、斜め下に力が働く様に考え、尚堆積層に貫入し易い錐型形状とし複数本同時貫入し瞬時に間隙を圧密、圧縮させる手段である。【選択図】      図１
2004270424.tif 000002
【特許請求の範囲】
【請求項１】
貫入エネルギー装置を上載、盤下部に特殊形状の面突起、筒状突起を複数本取り付けた装置、
【請求項２】
貫入エネルギー装置は起振動機、衝撃装置
【請求項３】
特殊形状の面突起は凹凸、波形形状を一面として考える装置
【請求項４】
筒状突起には串形形状、錐形形状を有する装置
【請求項５】
錐形形状には円錐形、角錐形と円柱と円錐組合形、角柱と角錐組合した装置
【請求項６】
角錐、円錐形状にウイングを取り付けた装置
【請求項７】
貫入エネルギー装置は対象軟弱地盤、ピート地盤及び堆積物の種類により重量、エネルギーの大きさを変化させる装置
【請求項８】
請求項２により請求項７を使用し、貫入エネルギー装置と盤板下部に取り付けた、請求項３．４．５．６．との重量と、エネルギー装置の振動、衝撃にて、軟弱地盤、ピート地盤をヒービング、盤部くれ、側方移動を起こさず早期圧密を計る事のできる工法であり且つ又捨て場、処分場等の堆積層を従来迄のバウンドして圧縮出来なかったり、飛散、側移動せず圧密、圧縮出来る工法
【発明の詳細な説明】
【０００１】
［発明の属する技術分野］
本発明は間隙の大きい軟弱層及び堆積層を貫入エネルギー装置にて、早期に圧密、圧縮する工法
【０００２】
［従来の技術］
従来迄の技術における間隙の大きい地盤、軟弱層、ピート層は浅層改良分野として、個化工法等が用いられているが、コスト高で経済的なっかた。又堆積地盤はダイレクトパワー方式、重錐球方式等にて試みたが、バウンドしたり、側移動又飛散が生じ圧縮効果が小さかった。
【０００３】
［発明が解決しようとする課題］
従来の間隙の大きい軟弱地盤、軟弱層、ピート層、施工時にヒービング、盤部くれ、側方流動を起こし易いか又は経済的でなっかった。堆積層の場合は圧縮効果が小さかった。
これらを早期に経済的に解決するのが課題であった。
【０００４】
［課題を解決するための手段］
上記の問題を解決するために本発明は軟弱地盤のヒービング盤部くれ、側方移動させない、特殊形状の面タイプ、筒状の串状形状、錐形形状を一本又は複数本同時打設し、早期圧密を計る手段である、又堆積層の間隙の大きいものは錐形形状の複数本打設にて早期圧縮を計る手段
【０００５】
［発明実施の形態］
本発明は貫入エネルギー装置上載盤板下部に特殊形状の面タイプ、筒状の串状、錐形状等の突起体を複数本取り付けその重量と起振動、衝撃動の組み合わせにより、地盤又は堆積層を急速圧密、圧縮を計ることにより地盤の安定化と体積層の圧縮による捨て場、処分場との容積拡大を計る形態である。
【０００６】
地盤の安定に関してはヒービング、盤ぶくれ、側方移動を防げる、利点がある。特にピート層に付いてはコストは低く早期圧密が可能である。体積層の圧縮については、筒状錐形形状の複数本打設が効果が大きい。
【０００７】
突起体である各種タイプの使用は各土質に合う形状が必要であり、改良深度が大きい場合は円柱、角柱と円錐，角錐の連結方法にて対処する。
【０００８】
円柱、角柱、連結の場合は貫入エネルギー装置も大きくする
【０００９】
［発明の効果］
本発明は以上の様な形態で実施され以下に記載される様な効化を生み出す。
【００１０】
現代社会における発展から、ごみの処分が大きくなり各処分場は満杯化されつつあり、新設個所は住民の反対等があり難しい現状である、本発明にて圧縮し容積の拡大により社会に対する効果は大きい、また住宅不足から宅地開発が進められ採算利便性から沖積軟弱層、ピート層の地盤に宅地化が進められ、改良に大きな費用を費やしているが、間隙の大きい地盤はその効果も思わしくないのが現状である。本工法はピート層の様な地盤には最適な事が實証済みであ理経済的且又即効的である。社会に対する貢献は大きい。
【図面の簡単な説明】
【図１】起振動機、衝撃装置の盤板に取り付け實施例を示す図面である
【図２】盤板下部突起形状部取り付け実施例を示す図面である
【図３】突起形状の各種実施部の実施例を示す図面である
【図４】軟弱地盤、ピート層圧密工実施例を示す図面である
【図５】堆積層圧縮工実施例を示す図面である
【図１】
2004270424.tif 000003
【図２】
2004270424.tif 000004
【図３】
2004270424.tif 000005
【図４】
2004270424.tif 000006
【図５】
2004270424.tif 000007
【手続補正書】
【提出日】平成15年6月2日(2003.6.2)
【手続補正１】
【補正対象書類名】明細書
【補正対象項目名】０００２
【補正方法】変更
【補正の内容】
【０００２】
【従来の技術】従来迄の技術における間隙の大きい地盤、軟弱層、ピート層は浅層改良分野として、固化工法等が用いられているが、コスト高で経済的でなっかった。又堆積地盤はダイレクトパワー方式、重錐球方式等にて試みたが、バウンドしたり、側方移動又は飛散が生じ圧縮効果が小さかった。


【手続補正２】
【補正対象書類名】明細書
【補正対象項目名】０００５
【補正方法】変更
【補正の内容】
【０００５】
【発明実施の内容】
本発明は貫入エネルギー装置上載盤下部に特殊形状の面タイプ、筒状串形、錐形状等の突起体を複数本取り付けその重量と起振動、衝撃動の組み合わせにより、地盤又は堆積層を急速圧蜜、圧縮を計ることにより地盤の安定化と堆積層の圧縮よる、捨て場、処分場等の容積拡大を計る形態である。


【手続補正３】
【補正対象書類名】明細書
【補正対象項目名】０００６
【補正方法】変更
【補正の内容】
【０００６】
地盤の安定に関してはヒービング、盤ぶくれ、側方移動を防げる、利点がある。特にピート層についてはコストは低く早期圧蜜が可能である。堆積層の圧縮については錐形形状の複数本打設が効果が大きい。


【手続補正４】
【補正対象書類名】明細書
【補正対象項目名】００１０
【補正方法】変更
【補正の内容】
【００１０】
【発明の効果】現代社会における発展から、ゴミの処分が大きくなり各処分場は満杯化されつつあり、新設ケ所は住民の反対等があり、難しい現状である、本発明にて圧縮し容積の拡大を計る事にて、社会に対する貢献は大きい又住宅不足から宅地開発が進められ、採算、利便性等から、沖積層、ピート層の軟弱層に宅地化が進められ地盤改良に大きな費用を費やし、その結果が思わしくないのが現状である。本工法はピート層の様な間隙の大きい層には最適な事が実証済みであり、且つ又即効性があり、安全である。此れも社会に対する貢献度は大きい。




【手続補正書】
【提出日】平成15年6月30日(2003.6.30)
【手続補正１】
【補正対象書類名】明細書
【補正対象項目名】請求項４
【補正方法】変更
【補正の内容】
【請求項４】
筒状突起には串型形状、錐型形状を有する装置。
【手続補正２】
【補正対象書類名】明細書
【補正対象項目名】請求項５
【補正方法】変更
【補正の内容】
【請求項５】
錐型形状には円錐型、角錐型と角錐、円錐とそれぞれ角柱、円柱の組み合わせ型形状装置。
【手続補正３】
【補正対象書類名】明細書
【補正対象項目名】請求項６
【補正方法】変更
【補正の内容】
【請求項６】
角錐は多角錐形状で、円錐形状と共に錐型表面に下向き突起状羽と振動、衝撃伝播クロス状羽（リブ）を取り付けてなる形状装置下向き突起羽は錐型表面に点状に配置し、堆積物等を下方向へ押し込む働きをさせる装置、クロス状羽は振動、衝撃を対象物に効果的に伝播させる働きと共に、締固機が垂直に貫入する役割の他に堆積物を切断する刃方を備える形状装置。
【手続補正４】
【補正対象書類名】明細書
【補正対象項目名】請求項８
【補正方法】変更
【補正の内容】
【請求項８】
貫入エネルギー装置である振動機、衝撃機を上載した、請求項６の複数本備えた錐型圧縮機の重量と振動又は衝撃により地盤又は堆積物を瞬時に圧密圧縮する工法及び装置特許である。
【手続補正６】
【補正対象書類名】図面
【補正対象項目名】図１
【補正方法】変更
【補正の内容】
【図−１】
2004270424.tif 000008